(57)【要約】【課題】使用者が抱く不快感および違和感を軽減することができるウィッグ用フィルムおよび当該ウィッグ用フィルムを備えたウィッグキャップを提供する。【解決手段】ウィッグ用フィルム１００は、２官能ジイソシアネートと、２官能ポリオールと、２官能の鎖延長剤とが、モル比で２．００〜１．１０：１．００：１．００〜０．１０の割合で配合され、プレポリマー法により重合されたポリウレタンエストラマーを主成分とし、複数の開口を有し、全体面積に対する開口の総面積の比率である開口率が１０％以上９０％以下であるものである。【選択図】図１
2019123981.tif 000002
【特許請求の範囲】
【請求項１】
ウィッグキャップに用いられるウィッグ用フィルムであって、
２官能ジイソシアネートと、２官能ポリオールと、２官能の鎖延長剤とが、モル比で２．００〜１．１０：１．００：１．００〜０．１０の割合で配合され、プレポリマー法により重合されたポリウレタンエストラマーを主成分とし、
複数の開口を有し、全体面積に対する前記開口の総面積の比率である開口率が１０％以上９０％以下であることを特徴とするウィッグ用フィルム。
【請求項２】
単位面積当たりの前記開口の数が３０個／ｃｍ２  以上１５０個／ｃｍ２  以下であることを特徴とする請求項１に記載のウィッグ用フィルム。
【請求項３】
前記２官能ジイソシアネートの分子量が１７４〜３０３であり、前記２官能ポリオールの分子量が３００〜２５００であり、前記２官能の鎖延長剤が６０〜３６０の分子量を有するジオール又はジアミンであることを特徴とする請求項１又は２に記載のウィッグ用フィルム。
【請求項４】
前記開口が円形、楕円形、十字型および多角形からなる群より選択される少なくとも１つの形状を有していることを特徴とする請求項１乃至３のいずれか１項に記載のウィッグ用フィルム。
【請求項５】
前記開口には角部が設けられていないことを特徴とする請求項１乃至３のいずれか１項に記載のウィッグ用フィルム。
【請求項６】
ウィッグの内側に配されるウィッグキャップであって、
一端および他端を備えた周縁部を有し、頭部を覆うキャップ本体と、
前記周縁部の前記一端と前記他端とに架橋されている請求項１乃至５のいずれか１項に記載のウィッグ用フィルムと、を備えたことを特徴とするウィッグキャップ。
【請求項７】
ウィッグの内側に配されるウィッグキャップであって、
周縁部を有し、頭部を覆うキャップ本体と、
前記周縁部の一部に沿って貼付または縫い付けされている請求項１乃至５のいずれか１項に記載のウィッグ用フィルムと、を備えたことを特徴とするウィッグキャップ。
【請求項８】
少なくとも１対の前記ウィッグ用フィルムが、対称的に前記周縁部に配設されていることを特徴とする請求項７に記載のウィッグキャップ。
【請求項９】
前記周縁部の内側に滑り止め部材が設けられていることを特徴とする請求項６〜８のいずれか１項に記載のウィッグキャップ。
【発明の詳細な説明】
【技術分野】
【０００１】
本発明は、頭皮に接触されるウィッグ用フィルムおよび当該ウィッグ用フィルムを備えたウィッグキャップに関する。
【背景技術】
【０００２】
ウィッグ（かつら）は、頭部全体に被せる態様のものから、頭部を部分的に覆うものまで用途に応じて多種多様な形態で用いられている。
【０００３】
通常、ウィッグを装着する場合には、その前にウィッグキャップ（インナーキャップまたはウィッグベースとも呼ばれる）を装着する（例えば、特許文献１参照）。特許文献１のキャップには、当該ウィッグキャップを装着した場合に後頭部に対応する部位に、当該ウィッグキャップの縁部のサイズを使用者の頭のサイズに合わせることが可能なアジャスタパーツが設けられることが多くなっている。
【先行技術文献】
【特許文献】
【０００４】
【特許文献１】特開２０１７−００８４４８号公報
【発明の概要】
【発明が解決しようとする課題】
【０００５】
しかしながら、上記従来技術によれば、ウィッグキャップのアジャスタパーツの接触が使用者にとって心地良いものではなかった。さらに、頭皮への接触が心地良くない上記のようなアジャスタパーツによる締め付けによって、使用者は痛みさえ覚えることがあった。特に、使用者がウィッグを一度装着すると、長時間、装着し続ける場合があるため、使用者によるウィッグの使い易さの向上に鑑みれば、上記問題を解決することは重要である。
【０００６】
そこで、本発明は、使用者が抱く不快感および違和感を軽減することができる、ウィッグ用フィルムおよび当該ウィッグ用フィルムを備えたウィッグキャップを提供することを目的とする。
【課題を解決するための手段】
【０００７】
（１）  本発明に係るウィッグ用フィルムは、ウィッグキャップに用いられ、頭皮に接触されるウィッグ用フィルムであって、２官能ジイソシアネートと、２官能ポリオールと、２官能の鎖延長剤とが、モル比で２．００〜１．１０：１．００：１．００〜０．１０の割合で配合され、プレポリマー法により重合されたポリウレタンエストラマーを主成分とし、複数の開口を有し、全体面積に対する前記開口の総面積の比率である開口率が１０％以上９０％以下であるものである。
【０００８】
上記（１）の構成によれば、本ウィッグ用フィルムがウィッグキャップの帯（バンド）として用いられた場合に、当該ウィッグ用フィルムが頭皮に対して適度な伸縮（締め付け）および適度な摩擦を実現することが可能な素材により形成されていることによって、使用者は締め付けの強さを感じることがなく、不快さおよび違和感を覚えることもない。また、通気性に優れると共に軽量であるという効果も奏される。
【０００９】
（２）  上記（１）のウィッグ用フィルムにおいては、単位面積当たりの前記開口の数が３０個／ｃｍ２  以上１５０個／ｃｍ２  以下であることが好ましい。
【００１０】
上記（２）の構成によれば、使用者が抱く不快感および違和感をより軽減することができる。また、通気性により優れると共により軽量であるという効果も奏される。
【００１１】
（３）  上記（１）又は（２）のウィッグ用フィルムにおいては、前記２官能ジイソシアネートの分子量が１７４〜３０３であり、前記２官能ポリオールの分子量が３００〜２５００であり、前記２官能の鎖延長剤が６０〜３６０の分子量を有するジオール又はジアミンであることが好ましい。
【００１２】
上記（３）の構成によれば、使用者が抱く不快感および違和感をより軽減することができる。
【００１３】
（４）  上記（１）乃至（３）のウィッグ用フィルムにおいては、前記開口が円形、楕円形、十字型および多角形からなる群より選択される少なくとも１つの形状を有していてもよい。なお、多角形には、スリット状の長細い四角形も含む。
【００１４】
上記（４）の構成によれば、使用者の好みまたは体質などに応じて種々の前記開口を設けることができる。
【００１５】
（５）  上記（１）乃至（３）のウィッグ用フィルムにおいては、前記開口には角部が設けられていないことが好ましい。
【００１６】
上記（５）の構成によれば、開口に角部を設けないことによって、当該角部から生じ易い亀裂の発生を回避することができる。
【００１７】
（６）  本発明に係るウィッグキャップは、ウィッグの内側に配されるウィッグキャップであって、一端および他端を備えた周縁部を有し、頭部を覆うキャップ本体と、前記周縁部の前記一端と前記他端とに架橋されている上記（１）乃至（５）のいずれかに記載のウィッグ用フィルムと、を備えたものである。
【００１８】
上記（６）の構成によれば、上記（１）乃至（５）のいずれかに記載のウィッグ用フィルムを備えているので、ウィッグの使用時に使用者が抱く不快感および違和感を、従来に比べて大幅に軽減することができる。また、通気性に優れると共に軽量であるという効果も奏される。さらに、頭部の動きに応じて比較的伸縮し易い後頭部の頭皮に本ウィッグ用フィルムが接触することで、頭皮の温度が伝達され、本ウィッグ用フィルム１００の収縮が適度になされる。これにより、従来、使用者が抱いていた不快感および違和感の軽減作用がより機能する。
【００１９】
（７）  別の観点として、本発明に係るウィッグキャップは、ウィッグの内側に配されるウィッグキャップであって、周縁部を有し、頭部を覆うキャップ本体と、前記周縁部の一部に沿って貼付または縫い付けされている上記（１）乃至（５）のいずれかに記載のウィッグ用フィルムと、を備えたものであってもよい。また、少なくとも１対の前記ウィッグ用フィルムが、対称的に前記周縁部に配設されていることが好ましい。
【００２０】
上記（７）の構成によれば、上記（６）と同様の効果を奏することができる。また、少なくとも１対のウィッグ用フィルムを、対称的に周縁部に配設することで、ウィッグキャップおよびウィッグの位置を安定させやすくなる。
【００２１】
（８）  上記（６）または（７）のウィッグキャップにおいては、前記周縁部の内側に滑り止め部材が設けられていることが好ましい。
【００２２】
上記（８）の構成によれば、ウィッグキャップのずれを防止することができる。
【発明の効果】
【００２３】
本発明によれば、使用者が抱く不快感および違和感を軽減することができるウィッグ用フィルムおよび当該ウィッグ用フィルムを備えたウィッグキャップを提供することができる。
【図面の簡単な説明】
【００２４】
【図１】本実施形態に係るウィッグ用フィルムを備えたウィッグキャップが頭部に装着された状態を示す図である。
【図２】（ａ）は本実施形態のウィッグ用フィルムの斜視図であり、（ｂ）は（ａ）のウィッグ用フィルムの平面図である。
【図３】（ａ）は変形例に係るウィッグ用フィルムの平面図であり、（ｂ）はさらに変形例に係るウィッグ用フィルムの平面図である。
【図４】本発明の他の実施形態に係るウィッグ用フィルムを備えたウィッグキャップが頭部に装着された状態を示す図である。
【図５】図４に示したウィッグキャップの変形例を示す側面図である。
【図６】実施例１および実施例２に使用したウィッグ用フィルム１およびウィッグ用フィルム２を示す写真である。
【図７】実施例１に係る応力緩和試験１における各試験片の応力−ひずみ関係を示すグラフである。
【図８】実施例１に係る応力緩和試験２における各試験片の応力−ひずみ関係を示すグラフである。
【図９】実施例１に係る応力緩和試験２における各試験片の応力緩和中の応力−時間関係を示すグラフである。
【図１０】実施例１に係る応力緩和試験３における各試験片の応力−ひずみ関係を示すグラフである。
【図１１】実施例１に係る応力緩和試験３における各試験片の応力緩和中の応力−時間関係を示すグラフである。
【図１２】実施例１に係る応力緩和試験３における各試験片の応力緩和量を示すグラフである。
【図１３】実施例１に係る引張試験１における各試験片の応力−ひずみ関係を示すグラフである。
【図１４】実施例１に係る引張試験２における各試験片の応力−ひずみ関係を示すグラフである。
【図１５】実施例１に係る引張試験３における各試験片の応力−ひずみ関係を示すグラフである。
【図１６】本発明の一実施形態に係るウィッグ用フィルムに生じる面圧と力との関係式を説明するための図である。
【発明を実施するための形態】
【００２５】
以下、本発明の一実施形態に係るウィッグ用フィルムおよび当該ウィッグ用フィルムを備えたウィッグキャップについて図面を参照しつつ説明する。本発明において、ウィッグとは、例えばヘアにボリュームを加えたり、ヘアスタイルをアレンジしたり等の一般にファッション的要素を重視した、いわゆるつけ毛のみならず、薄毛を隠す等の実用的に使用されるかつらをも含む概念である。
【００２６】
図１に示すように、本実施形態に係るウィッグキャップ１２は、ウィッグ（図示略）の内側に配されるウィッグキャップであって、一端および他端を備えた周縁部１３を有しかつ頭部を覆うキャップ本体１４と、ウィッグ用フィルム１００と、を備えている。キャップ本体１４は、通気性を確保するため、網目状（メッシュ状）に形成されている。ウィッグ用フィルム１００は、上記周縁部１３の一端と他端とに架橋されると共に、ウィッグキャップ１２を頭部に被せた際に後頭部１１の頭皮または人毛に接触される。キャップ本体１４の周縁部１３とウィッグ用フィルム１００との結合体が、頭部の周りに連続的に接触するようになっている。
【００２７】
ウィッグ用フィルム１００の厚さは、例えば２０μｍ以上１０００μｍ以下である。ウィッグ用フィルム１００は、２官能イソシアネート、２官能ポリオール、および２官能の鎖延長剤を主原料として作製される。
【００２８】
本実施形態では、分子量が例えば１７４〜３０３の範囲内の２官能イソシアネートが用いられる。具体的には、２，４−トルエンジイソシアネート、４，４'−ジフェニルメタンジイソシアネート、カルボジイミド変性の４，４'−ジフェニルメタンイソシアネート、ヘキサメチレンジイソシアネートなどが挙げられる。
【００２９】
また、分子量が例えば３００〜２５００の範囲内の２官能ポリオールが用いられる。具体的には、ポリプロピレングリコール、１，４−ブタングリコールアジペート、ポリテトラメチレングリコール、ポリエチレングリコール、ビスフェノール−Ａのプロピレンオキサイド付加物などが挙げられる。上記２官能ポリオールは、さらに２官能のカルボン酸又は環状エーテルを反応させた生成物とされてもよい。
【００３０】
鎖延長剤としては、分子量が例えば６０〜３６０の範囲内のジアミン又はジオールが用いられる。本実施形態に適用されるジオールの例として、エチレングリコール、１，４−ブタングリコール、ビス（２−ハイドロキシエチル）ハイドロキノン、ビスフェノール−Ａのエチレンオキサイド付加物、ビスフェノール−Ａのプロピレンオキサイド付加物などが挙げられる。また、本実施形態に適用されるジアミンの例としては、エチレンジアミンが挙げられる。
【００３１】
上記２官能イソシアネート、２官能ポリオール、および鎖延長剤は、モル比で２．００〜１．１０：１．００：１．００〜０．１０の割合で配合され、ウィッグ用フィルム１００はプレポリマー法により重合されたポリウレタンエストラマーを主成分とする。
【００３２】
図２（ａ）、（ｂ）に示すように、ウィッグ用フィルム１００は、複数の開口２１を有している。各開口２１は例えば千鳥格子状に配される。開口２１の形状は、平面視において例えば円形である。開口２１は、ウィッグ用フィルム１００の厚さ方向に貫通している。
【００３３】
本実施形態において、ウィッグ用フィルム１００の片面全体面積に対する開口２１の総面積の比率である開口率は、１０％以上９０％以下である。
【００３４】
また、本実施形態において、単位面積当たりの開口２１の数は、例えば３０個／ｃｍ２  以上１５０個／ｃｍ２  以下であることが好ましい。
【００３５】
なお、使用前において、ウィッグ用フィルム１００の片面に、剥離テープを貼り付けておいてもよい。ウィッグ用フィルム１００の形状を安定させて保管するためである。
【００３６】
以上のように、本実施形態のウィッグ用フィルム１００によれば、２官能ジイソシアネートと、２官能ポリオールと、２官能の鎖延長剤とが、モル比で２．００〜１．１０：１．００：１．００〜０．１０の割合で配合され、プレポリマー法により重合されたポリウレタンエストラマーを主成分とし、開口２１の開口率が１０％以上９０％以下であることによって、頭皮へのウィッグ用フィルム１００の接触時に使用者が抱く不快感および違和感を軽減することができる。また、通気性に優れると共に軽量であるという効果も奏される。
【００３７】
また、本実施形態では、単位面積当たりの開口２１の数が３０個／ｃｍ２  以上１５０個／ｃｍ２  以下であることによって、使用者が抱く不快感および違和感をより軽減することができる。また、通気性により優れると共により軽量であるという効果も奏される。
【００３８】
また、本実施形態では、２官能ジイソシアネートの分子量が１７４〜３０３であり、２官能ポリオールの分子量が３００〜２５００であり、２官能の鎖延長剤が６０〜３６０の分子量を有するジオール又はジアミンである。これによって、使用者が抱く不快感および違和感をより軽減することができる。
【００３９】
さらに、本実施形態では、頭部の動きに応じて比較的伸縮し易い後頭部の頭皮に本ウィッグ用フィルム１００が接触することで、頭皮の温度が伝達され、本ウィッグ用フィルム１００の収縮が適度になされる。これにより、従来、使用者が抱いていた不快感および違和感の軽減作用がより機能する。
【００４０】
以上、本発明の実施形態について図面に基づいて説明したが、具体的な構成は、これらの実施形態に限定されるものではないと考えられるべきである。本発明の範囲は、上記した実施形態の説明ではなく特許請求の範囲によって示され、さらに特許請求の範囲と均等の意味および範囲内でのすべての変更が含まれる。
【００４１】
上記実施形態では、開口２１の形状を平面視で円形としたが、これに限定されるものではない。ウィッグ用フィルムに設けられる開口は、例えば楕円形、十字型および多角形（三角形、四角形（スリット状の長細い四角形も含む）、五角形、六角形など）からなる群より選択される少なくとも１つの形状を有するようにしてもよい。また、これらの形状に限られず、使用者の使用感に合わせて、開口形状は適宜変更してもよい。
【００４２】
例えば、図３（ａ）に示すように、ウィッグ用フィルム２００において、平面視で四角形の複数の開口１３１を設けてもよい。
【００４３】
また、１枚のウィッグ用フィルムにおいて、同形状の開口を設けるのではなく、例えば図３（ｂ）に示すように、ウィッグ用フィルム３００において、平面視で円形の開口２４１と、楕円形の開口２４２と、四角形の開口２４３と、十字型の開口２４４と、三角形の開口２４５、縦スリット状の開口２４６と、斜めスリット状の開口２４７とのように、異なる形状を有する開口を設けるようにしてもよい。これによって、使用者の好みおよび体質などに応じて種々の開口を設けることができる。なお、使用者の好みおよび体質などに応じて、各形状の開口数は、適宜変更してもよいし、開口形状は様々に組み合わせてもよいし、開口の大きさ、向きも適宜変更してよい。
【００４４】
なお、ウィッグ用フィルムが伸縮する際に、開口に角部が存在すると、当該角部から亀裂が生じるおそれがあるため、開口の望ましい形状としては、円形および楕円形が挙げられる。
【００４５】
また、上記実施形態では、各開口２１を千鳥格子状のように規則的に配置したが、これに限定されるものではなく、各開口２１を例えばランダム（不規則）に分散させて配置してもよい。
【００４６】
さらに、上記実施形態では、ウィッグ用フィルム１００を、後頭部の頭皮に接触するようにしたが、これに限定されるものではなく、頭部の他の部分の頭皮にも好適に接触させてもよい。
【００４７】
また、上記実施形態では、直接、頭皮または髪にウィッグ用フィルム１００が接触する形態について説明したが、ウィッグ用フィルム１００は比較的柔らかい布地（頭皮の温度がウィッグ用フィルム１００に伝達するもの。メッシュ状のものでもよい。）などによって表面が被覆されていてもよい。また、ウィッグ用フィルム１００は、比較的柔らかい布地（頭皮の温度がウィッグ用フィルム１００に伝達するもの。メッシュ状のものでもよい。）などによって形成された厚みが薄い（断面が扁平の）筒状部材の内部において、伸縮自在に設けられているものであってもよい。
【００４８】
また、上記実施形態では、ウィッグ用フィルム１００が、ウィッグキャップ１２の周縁部１３の一端と他端とに架橋されている構成としたが、これに限定されるものではなく、次のように構成してもよい。以下、図４を参照して、本発明の他の実施形態に係るウィッグ用フィルムを備えたウィッグキャップについて説明する。なお、上記実施形態と下２桁が同じ符号の部位は、特に説明する場合を除き、上記実施形態で説明したものと同様であるので説明を省略する。
【００４９】
図４に示すように、ウィッグキャップ４１２は、周縁部４１３と、キャップ本体４１４と、一対のウィッグ用フィルム４００と、を備えている。周縁部４１３は、上記実施形態と異なり、使用者の頭部の周りに連続的に接触するようになっている。また、ウィッグ用フィルム４００は、周縁部４１３の裏面に、使用者の左右の側頭部４１０から後頭部４１１にかけてそれぞれ位置するように設けられており、頭皮または人毛に接触するようになっていてもよいし、綿などの厚みの薄い布地に覆われていてもよい。なお、ウィッグ用フィルム４００は、上記実施形態のウィッグ用フィルム１００と同じものであり、開口形状は特に限定されることはない。また、ウィッグ用フィルム４００の取り付け方法は、特に限定されるものではなく、接着、熱圧着又は縫着などのいずれであってもよい。
【００５０】
このようにウィッグ用フィルム４００を２枚備えるウィッグキャップ４１２においても、使用者の頭皮の温度がウィッグ用フィルム４００に伝達され、ウィッグ用フィルム４００の収縮が適度になされるので、上記実施形態と同様に、使用者が抱く不快感および違和感を軽減することができる。
【００５１】
なお、ウィッグ用フィルム４００は、使用者の頭皮の温度が伝達される位置に設けられていればよく、周縁部４１３の表面に設けられていてもよい。また、ウィッグ用フィルム４００は、例えば使用者の左の側頭部４１０から後頭部４１１、続いて右の側頭部４１０にかけて、ウィッグ用フィルム４００が単体で一体的に設けられていてもよい。なお、この場合は、周縁部４１３とウィッグ用フィルム４００との結合体が、使用者の頭部の周りに連続的に接触するようになる。
【００５２】
また、上記ウィッグキャップ４１２においては、滑り止め部材を備えた構成に変形してもよい。以下、図５を参照して、具体的に説明する。なお、上記実施形態と下２桁が同じ符号の部位は、特に説明する場合を除き、上記実施形態で説明したものと同様であるので説明を省略する。
【００５３】
図５に示すように、ウィッグキャップ５１２は、周縁部５１３と、キャップ本体５１４と、滑り止め部材としてのシート状部材５１５と、ウィッグ用フィルム５００と、を備えている。シート状部材５１５は、周縁部４１３の裏面に、使用者の左右の側頭部５１０のこめかみ部に接触するようにそれぞれ設けられている。このシート状部材５１５は、キャップ本体５１４の固定手段としての耐久性および接着性を有するシリコーンまたはシリコーンを含む材料を用いることが好ましい。シリコーンを含む材料としては、例えば、株式会社ＳＭＰテクノロジーズ製の「ＳＭＰ ｉＦｉｔ」を形成する材料が好ましい。また、シート状部材５１５の取り付け方法は、特に限定されるものではなく、接着、熱圧着又は縫着などのいずれであってもよい。なお、ウィッグ用フィルム５００は、上記実施形態のウィッグ用フィルム４００と同じものであり、図５に示すように、周縁部５１３の裏面に、使用者の左右の側頭部５１０から後頭部５１１にかけての頭皮または人毛に接触するようにまたは綿などの厚みの薄い布地に覆われた状態で、それぞれ設けられている。
【００５４】
このような構成を有するウィッグキャップ５１２においても、上記実施形態と同様に、使用者が抱く不快感および違和感を軽減することができ、さらに、シート状部材５１５を備えることにより、キャップ本体５１４が使用者の頭部からズレにくくなり、ウィッグキャップ５１２の装着性およびフィット感を向上させることができる。
【００５５】
なお、本変形例では、シート状部材５１５は、周縁部４１３の裏面に、使用者の両側頭部５１０のこめかみ部に接触するように設けられているが、この位置に限定されるものではなく、周縁部５１３の裏面のどの位置に設けられていてもよい。また、他の変形例として、上記ウィッグキャップ５１２の代わりに、図１に示したウィッグキャップ１２において、シート状部材５１５と同様の滑り止め部材を適用することも可能である。
【実施例】
【００５６】
以下、実施例を挙げて本発明を具体的に説明するが、本発明は下記の実施例に何ら限定されるものではない。
【００５７】
（実施例１）
本発明のウィッグ用フィルムについて、応力緩和試験１〜３を行った。まず、応力緩和試験１について、具体的に説明する。応力緩和試験１は、ウィッグ用フィルム１およびウィッグ用フィルム２について、株式会社島津製作所製のＡＧ−５００を用いて、室温（３０℃）で行った。
【００５８】
ここで、ウィッグ用フィルム１は、厚みが０．２２ｍｍ、開口率が２５％、目付が１３５ｇ／ｍ２、単位面積当たりの開口数が７４．４個／ｃｍ２である（図６の下側写真を参照）。また、ウィッグ用フィルム２は、厚みが０．２１ｍｍ、開口率が２５％、目付が１３５ｇ／ｍ２、単位面積当たりの開口数が７１．４個／ｃｍ２である（図６の上側写真を参照）。
【００５９】
応力緩和試験１は、ウィッグ用フィルム１および２の各試験片について、試験速度５０％／ｍｉｎにて平面視で試験片の長手方向の両端から引っ張り（応力を加え）、ひずみ５％または１０％を各試験片に与え、そのひずみを５分（３００秒）間保持した。このひずみ保持の間に、応力の緩和する応力緩和が生じる。そして、ひずみ５％または１０％保持後に、再び試験速度５０％／ｍｉｎにて除荷した。この引張過程から除荷過程における各試験片の応力―ひずみ関係の結果を図７に示した。なお、ウィッグ用フィルム１および２の各試験片の標点距離は５０ｍｍ、幅（平面視で短手方向の長さ）は１０ｍｍである。また、図７は、縦軸に応力（Ｎ）、横軸にひずみ（％）をとって、各試験片の応力−ひずみ関係を示したものである。なお、図７において、Ｔ＝ＲＴはＲｏｏｍ Ｔｅｍｐｅｒａｔｕｒｅの略で室温を示し、ｄε／ｄｔ＝５０％／ｍｉｎは試験速度を示す。以下同様である。
【００６０】
図７を参照すると、同じひずみを与えた場合、ウィッグ用フィルム１は、ウィッグ用フィルム２に比べて、応力が倍以上異なることが分かる。つまり、同じ量引っ張る場合、ウィッグ用フィルム１は、ウィッグ用フィルム２に比べて、倍以上の力が必要となることが分かる。
【００６１】
次に、応力緩和試験２について、具体的に説明する。応力緩和試験２は、上記ウィッグ用フィルム１の試験片について、ひずみ５％、１０％または２０％を与えた場合の応力−ひずみ関係を調べた。なお、試験方法は、上記応力緩和試験１と同様である。応力緩和試験２の結果を図８および図９に示した。
【００６２】
図８は、応力緩和試験２における各試験片の応力−ひずみ関係を示すグラフである。なお、図８において、Ｈｏｌｄｉｎｇ ｔｉｍｅ＝５ｍｉｎはひずみ保持時間を示す。図９は、応力緩和試験２における各試験片の応力緩和中の応力−時間関係を示すグラフである。なお、図９は、縦軸に応力（Ｎ）、横軸に時間（秒）をとって、各試験片の応力−時間関係を示したものである。
【００６３】
図８および図９を参照すると、ウィッグ用フィルム１において、ひずみ２０％を与えた場合、最大の応力が加えられていることが分かり、このひずみ２０％を保持した５分間に徐々に応力緩和が生じていることが分かる。これに対して、ひずみ５％を与えた場合は、ほとんど応力緩和が生じず、ひずみ５％を保持した５分間で、力の減少量は、ほとんど変わらないことが分かる。
【００６４】
次に、応力緩和試験３について、具体的に説明する。応力緩和試験３は、上記ウィッグ用フィルム２の試験片１と、上記ウィッグ用フィルム２に布地（２）を取り付けた（貼り付けた）試験片２と、上記ウィッグ用フィルム２に布地（３）を取り付けた（貼り付けた）試験片３とについて、ひずみ５％または１０％を与えた場合の応力−ひずみ関係を調べた。
【００６５】
ここで、布地（２）は、厚みが０．６１ｍｍ、材質がポリエステル系繊維である。また、布地（３）は、厚みが０．４８ｍｍ、材質がポリアミド系繊維である。なお、布地（２）および（３）の取り付けは、アイロンを用いた熱圧着により行った。なお、試験方法は、上記応力緩和試験１と同様である。応力緩和試験３の結果を図１０、図１１および図１２に示した。
【００６６】
図１０は、応力緩和試験３における各試験片の応力−ひずみ関係を示すグラフである。図１１は、応力緩和試験３における各試験片の応力緩和中の応力−時間関係を示すグラフである。図１２は、応力緩和試験３における各試験片の応力緩和量を示すグラフである。なお、図１２の縦軸の応力緩和量（Ｎ）は、図１０および図１１の結果より求めたものであり、各試験片の応力緩和試験３により生じた応力緩和量（力の減少量）を示したものである。また、図１２の各試験片の応力緩和量を示す棒グラフにおいて、左側の棒グラフがひずみ５％を与えた場合の応力緩和量を示し、右側の棒グラフがひずみ１０％を与えた場合の応力緩和量を示したものである。
【００６７】
図１０、図１１および図１２を参照すると、ひずみ１０％を与えた場合、応力緩和量は、試験片２が試験片１および試験片３よりも高いが、ひずみ５％を与えた場合、試験片１〜３の応力緩和量が、あまり変わらないことが分かる。したがって、ウィッグ用フィルム２に布地（２）または（３）を取り付けても、取り付けなくても、ひずみ５％であれば、応力緩和量（力の減少量）を抑えることができることが分かる。また、ひずみ５％であれば、ウィッグ用フィルム２を備えたウィッグキャップを頭部に装着した場合、装着後５分間は、ウィッグキャップの締め付け力が下がることはほとんどないことが分かる。
【００６８】
また、比較例として、上記ウィッグ用フィルム２と、布地（１）〜（４）とについて、引張試験１を行った。引張試験１は、上記応力緩和試験１の試験方法において、ひずみ保持過程を除いた試験方法であり、室温（３０℃）で、引張方向を垂直方向（ウィッグ用フィルム２の穴の向きと同じ方向）、試験速度を５０％／ｍｉｎ、各試験片の標点距離を５０ｍｍとして行った。
【００６９】
ここで、布地（１）は、厚みが０．３５ｍｍ、材質がポリアミド系繊維である。また、布地（４）は、厚みが０．６２ｍｍ、材質がポリエステル系繊維である。なお、布地（２）および（３）は、上記応力緩和試験３に用いた布地（２）および（３）と同じものである。引張試験１の結果を図１３に示した。なお、図１３において、フィルム２ ｖｅｒｔｉｃａｌは、ウィッグ用フィルム２の穴の向きと引張試験１の引張方向とが同じであることを示す。
【００７０】
続いて、布地（２）および（３）について、引張試験２および３を行った。具体的には、引張試験２は、布地（２）に上記ウィッグ用フィルム２を取り付けた試験片４〜６と、布地（２）単体の試験片７とについて行った。また、引張試験３は、布地（３）に上記ウィッグ用フィルム２を取り付けた試験片８〜１０と、布地（３）単体の試験片１１とについて行った。引張試験２の結果を図１４に示し、引張試験３の結果を図１５に示した。なお、試験方法は、上記引張試験１と同様である。
【００７１】
図１３を参照すると、ウィッグ用フィルム２は、布地（１）〜（４）に比べて、同じ量引っ張る場合、倍以上の力、または、ほぼ倍の力が必要となることが分かる。また、図１４および図１５を参照すると、布地（２）および（３）において、ウィッグ用フィルム２を取り付けた場合は、布地（２）および（３）単体の場合に比べて、同じ量引っ張る際に、倍以上の力が必要となることが分かる。
【００７２】
（実施例２）
本発明のウィッグ用フィルムを備えたウィッグキャップについて、官能試験１および２を行った。なお、官能試験１および２に使用したウィッグキャップは、２枚のウィッグ用フィルムを備えた上記ウィッグキャップ４１２と同様の構成を有するものである。また、官能試験１および２に使用したウィッグ用フィルムは、上記ウィッグ用フィルム１と同じものである。
【００７３】
まず、官能試験１について、具体的に説明する。官能試験１は、頭の周長がそれぞれ異なる女性被験者が、平面視で長手方向の長さが１８０ｍｍ、幅（平面視で短手方向の長さ）が２０ｍｍであるウィッグ用フィルムを備えたウィッグキャップＳＳ、Ｓ、Ｍを頭部に装着した場合の、ウィッグ用フィルムに生じる面圧および力を、関係式（１）を用いて調べた。なお、官能試験１は、各ウィッグキャップにおけるウィッグ用フィルムのひずみが、１１％付近となるひずみ領域について、面圧および力を求めた。
【００７４】
なお、ウィッグキャップＳＳは、周縁部の長さが５１０ｍｍ、ウィッグキャップＳは、周縁部の長さが５３０ｍｍ、ウィッグキャップＭは、周縁部の長さが５５０ｍｍである。また、関係式（１）とは、ウィッグ用フィルムに生じる面圧と力の関係式ｐ＝（２×Ｆ×π）／（ｗ×Ｌ）のことである。ここで、ｐは、ウィッグ用フィルムに生じる面圧（Ｎ／ｍｍ２）、Ｆは、ウィッグ用フィルムに生じる力（Ｎ）、ｗは、ウィッグ用フィルムの幅（ｍｍ）、Ｌは、使用者の頭の周長（ｍｍ）である。
【００７５】
以下、関係式（１）について、図１６を参照して、具体的に説明する。図１６の下図は、使用者がウィッグ用フィルム６００を備えたウィッグキャップ６１２を頭部に装着した状態を示す概略平面図であり、図１６の上図は、この状態のウィッグ用フィルム６００の微小領域を示す図である。
【００７６】
図１６を参照して、ウィッグ用フィルム６００の微小領域における半径方向の力のつりあいを考えると、ｄＷ−２Ｆｓｉｎ（ｄφ／２）＝０となる。ここで、ｓｉｎ（ｄφ／２）＝ｄφ／２となるため、ｄＷ＝Ｆｄφである。よって、ウィッグ用フィルム６００に生じる面圧ｐは、ｐ＝ｄＷ／（ｗ×Ｄ／２×ｄφ）＝Ｆｄφ／（ｗ×Ｄ／２×ｄφ）＝（２×Ｆ）／（ｗ×Ｄ）となる。ここで、Ｄは、使用者の頭の直径を示すので、Ｄ＝Ｌ／πである。したがって、関係式（１）ｐ＝（２×Ｆ×π）／（ｗ×Ｌ）が成立する。なお、ｐ＝０．００２Ｎ／ｍｍ２の場合は、Ｆ＝０．００３１８３×Ｌの関係が成立する。
【００７７】
官能試験１について、結果を下記表１に示す。なお、表１中のεは、ウィッグ用フィルムのひずみを示し、εＳＳはウィッグキャップＳＳにおけるひずみ、εＳはウィッグキャップＳにおけるひずみ、εＭはウィッグキャップＭにおけるひずみを示す。また、使用者の頭の周長をＬ、ウィッグキャップの周縁部の長さをＬＷ、ウィッグ用フィルム２枚の長さをＬｂとすると、ε＝（Ｌ−ＬＷ）／Ｌｂの関係が成立する。また、表１中のウィッグ用フィルムに生じる面圧および力の結果は、ウィッグ用フィルムのひずみ領域が８．３３％〜１２．５０％の領域に入る各ウィッグキャップにおける結果である。また、ウィッグ用フィルムに生じる力Ｆは、上記引張試験１のウィッグ用フィルム２の応力−ひずみ関係の結果を用いて求めた。
【表１】
2019123981.tif 000003
【００７８】
表１を参照すると、頭の周長が５４５ｍｍから５５５ｍｍの使用者が、ウィッグキャップＳＳを装着した場合に、ウィッグ用フィルムに生じる面圧が快適な領域とされる面圧２ｋｐ（ｐ＝０．００２Ｎ／ｍｍ２）付近の結果となった。また、頭の周長が５６０ｍｍから５７５ｍｍの使用者が、ウィッグキャップＳを装着した場合に、面圧が快適な領域に入っていることが分かる。また、頭の周長が５８０ｍｍから５９５ｍｍの使用者が、ウィッグキャップＭを装着した場合に、面圧が快適な領域に入っていることが分かる。
【００７９】
次に、官能試験２について、具体的に説明する。官能試験２は、頭の周長がそれぞれ異なる女性被験者が、平面視で長手方向の長さが１８０ｍｍ、幅（平面視で短手方向の長さ）が１０ｍｍであるウィッグ用フィルムを備えたウィッグキャップＳＳ、Ｓ、Ｍ、Ｌを頭部に装着した場合の、ウィッグ用フィルムに生じる面圧および力を、関係式（１）を用いて調べた。なお、官能試験２は、各ウィッグキャップにおけるウィッグ用フィルムのひずみが、５．５％付近となるひずみ領域について、面圧および力を求めた。
【００８０】
官能試験２について、結果を下記表２に示す。なお、表２中のεＬはウィッグキャップＬにおけるひずみを示す。また、ｐ１およびＦ１は、ウィッグ用フィルムが、１枚ずつ使用者の左右の側頭部から後頭部にかけて接触するように、周縁部に設けられたウィッグキャップを使用した場合の面圧および力を示す。また、ｐ２およびＦ２は、ウィッグ用フィルムが、２枚ずつ使用者の左右の側頭部から後頭部にかけて接触するように、周縁部に設けられたウィッグキャップを使用した場合の面圧および力を示し、この場合、ウィッグ用フィルムは２枚重なった状態で左右に設けられている。また、表２中のウィッグ用フィルムに生じる面圧および力の結果は、ウィッグ用フィルムのひずみ領域が４．１７％〜８．３３％の領域に入る各ウィッグキャップにおける結果である。また、ウィッグ用フィルムに生じる力Ｆ１およびＦ２は、上記引張試験１のウィッグ用フィルム２の応力−ひずみ関係の結果を用いて求めた。
【表２】
2019123981.tif 000004
【００８１】
表２を参照すると、頭の周長が５２５ｍｍから５４０ｍｍの使用者が、ウィッグキャップＳＳを装着した場合に、面圧が快適な領域に入っていることが分かる。また、頭の周長が５４５ｍｍから５６０ｍｍの使用者が、ウィッグキャップＳを装着した場合に、面圧が快適な領域に入っていることが分かる。また、頭の周長が５６５ｍｍから５８０ｍｍの使用者が、ウィッグキャップＭを装着した場合に、面圧が快適な領域に入っていることが分かる。また、頭の周長が５８５ｍｍから５９５ｍｍの使用者が、ウィッグキャップＬを装着した場合に、面圧が快適な領域に入っていることが分かる。
【００８２】
次に、上記官能試験１のウィッグ用フィルムを備えたウィッグキャップＳサイズおよびＭサイズについて、それぞれ女性被験者８名ずつに装着してもらい、頭部に対しての締め付けの評価を行った。その評価結果を、表３に示す。
【表３】
2019123981.tif 000005
【００８３】
表３を参照すると、ウィッグキャップＳおよびＭについての評価は、合計１６名中１３名から「丁度良い」または「きつくない」の良い評価を受けた。よって、本発明のウィッグ用フィルムを備えたウィッグキャップのＳサイズは、概ね、締め付けの強さを感じることがなく、不快さおよび違和感を覚えることもないことが確認された。本発明のウィッグ用フィルムを備えたウィッグキャップのＭサイズに至っては、締め付けの強さを感じることがなく、不快さおよび違和感を覚えることもないことが確認された。
【符号の説明】
【００８４】
１１、４１１、５１１    後頭部
１２、４１２、５１２、６１２    ウィッグキャップ
１３、４１３、５１３    周縁部
１４、４１４、５１４    キャップ本体
２１    円開口（開口）
１００、２００、３００、４００、５００、６００    ウィッグ用フィルム
１３１    多角形開口（開口）
２４１    円開口（開口）
２４２    楕円開口（開口）
２４３    多角形開口（開口）
２４４    十字型開口（開口）
２４５    多角形開口（開口）
２４６    縦スリット状の開口（開口）
２４７    斜めスリット状の開口（開口）
４１０、５１０    側頭部
５１５    シート状部材
【図１】
2019123981.tif 000006
【図２】
2019123981.tif 000007
【図３】
2019123981.tif 000008
【図４】
2019123981.tif 000009
【図５】
2019123981.tif 000010
【図６】
2019123981.tif 000011
【図７】
2019123981.tif 000012
【図８】
2019123981.tif 000013
【図９】
2019123981.tif 000014
【図１０】
2019123981.tif 000015
【図１１】
2019123981.tif 000016
【図１２】
2019123981.tif 000017
【図１３】
2019123981.tif 000018
【図１４】
2019123981.tif 000019
【図１５】
2019123981.tif 000020
【図１６】
2019123981.tif 000021
【手続補正書】
【提出日】平成31年4月8日(2019.4.8)
【手続補正１】
【補正対象書類名】特許請求の範囲
【補正対象項目名】全文
【補正方法】変更
【補正の内容】
【特許請求の範囲】
【請求項１】
周縁部と、頭部を覆うキャップ本体とを備えたウィッグキャップに用いられる、ウィッグ用フィルムであって、
２官能ジイソシアネートと、２官能ポリオールと、２官能の鎖延長剤とが、モル比で２．００〜１．１０：１．００：１．００〜０．１０の割合で配合され、プレポリマー法により重合されたポリウレタンエストラマーを主成分とし、
複数の開口を有し、全体面積に対する前記開口の総面積の比率である開口率が１０％以上９０％以下であり、
前記ウィッグ用フィルムの１対が対称的に前記周縁部に配設されて装着者が前記ウィッグキャップを使用している場合において、１枚当たりのひずみ領域が８．３３％〜１２．５０％の領域内となるように調整されていることを特徴とするウィッグ用フィルム。
【請求項２】
周縁部と、頭部を覆うキャップ本体とを備えたウィッグキャップに用いられる、ウィッグ用フィルムであって、
２官能ジイソシアネートと、２官能ポリオールと、２官能の鎖延長剤とが、モル比で２．００〜１．１０：１．００：１．００〜０．１０の割合で配合され、プレポリマー法により重合されたポリウレタンエストラマーを主成分とし、
複数の開口を有し、全体面積に対する前記開口の総面積の比率である開口率が１０％以上９０％以下であり、
２枚重ねにした前記ウィッグ用フィルムの１対が対称的に前記周縁部に配設されて装着者が前記ウィッグキャップを使用している場合において、１枚当たりのひずみ領域が４．１７％〜８．３３％の領域内となるように調整されていることを特徴とするウィッグ用フィルム。
【請求項３】
単位面積当たりの前記開口の数が３０個／ｃｍ２  以上１５０個／ｃｍ２  以下であることを特徴とする請求項１又は２に記載のウィッグ用フィルム。
【請求項４】
前記２官能ジイソシアネートの分子量が１７４〜３０３であり、前記２官能ポリオールの分子量が３００〜２５００であり、前記２官能の鎖延長剤が６０〜３６０の分子量を有するジオール又はジアミンであることを特徴とする請求項１乃至３のいずれか１項に記載のウィッグ用フィルム。
【請求項５】
前記開口が円形、楕円形、十字型および多角形からなる群より選択される少なくとも１つの形状を有していることを特徴とする請求項１乃至４のいずれか１項に記載のウィッグ用フィルム。
【請求項６】
前記開口には角部が設けられていないことを特徴とする請求項１乃至４のいずれか１項に記載のウィッグ用フィルム。
【請求項７】
ウィッグの内側に配されるウィッグキャップであって、
周縁部を有し、頭部を覆うキャップ本体と、
前記周縁部の一部に沿って貼付または縫い付けされている請求項１乃至６のいずれか１項に記載のウィッグ用フィルムと、を備え、
少なくとも１対の前記ウィッグ用フィルムが、前記周縁部に配設されていることを特徴とするウィッグキャップ。
【請求項８】
前記周縁部の内側に滑り止め部材が設けられていることを特徴とする請求項７に記載のウィッグキャップ。
【手続補正２】
【補正対象書類名】明細書
【補正対象項目名】０００７
【補正方法】変更
【補正の内容】
【０００７】
（１）  本発明に係るウィッグ用フィルムは、周縁部と、頭部を覆うキャップ本体とを備えたウィッグキャップに用いられる、ウィッグ用フィルムであって、２官能ジイソシアネートと、２官能ポリオールと、２官能の鎖延長剤とが、モル比で２．００〜１．１０：１．００：１．００〜０．１０の割合で配合され、プレポリマー法により重合されたポリウレタンエストラマーを主成分とし、複数の開口を有し、全体面積に対する前記開口の総面積の比率である開口率が１０％以上９０％以下であり、前記ウィッグ用フィルムの１対が対称的に前記周縁部に配設されて装着者が前記ウィッグキャップを使用している場合において、１枚当たりのひずみ領域が８．３３％〜１２．５０％の領域内となるように調整されているものである。
別の観点として、本発明に係るウィッグ用フィルムは、周縁部と、頭部を覆うキャップ本体とを備えたウィッグキャップに用いられる、ウィッグ用フィルムであって、２官能ジイソシアネートと、２官能ポリオールと、２官能の鎖延長剤とが、モル比で２．００〜１．１０：１．００：１．００〜０．１０の割合で配合され、プレポリマー法により重合されたポリウレタンエストラマーを主成分とし、複数の開口を有し、全体面積に対する前記開口の総面積の比率である開口率が１０％以上９０％以下であり、２枚重ねにした前記ウィッグ用フィルムの１対が対称的に前記周縁部に配設されて装着者が前記ウィッグキャップを使用している場合において、１枚当たりのひずみ領域が４．１７％〜８．３３％の領域内となるように調整されているものであってもよい。
【手続補正３】
【補正対象書類名】明細書
【補正対象項目名】００１７
【補正方法】削除
【補正の内容】
【手続補正４】
【補正対象書類名】明細書
【補正対象項目名】００１８
【補正方法】削除
【補正の内容】
【手続補正５】
【補正対象書類名】明細書
【補正対象項目名】００１９
【補正方法】変更
【補正の内容】
【００１９】
（６）  本発明に係るウィッグキャップは、ウィッグの内側に配されるウィッグキャップであって、周縁部を有し、頭部を覆うキャップ本体と、前記周縁部の一部に沿って貼付または縫い付けされている上記（１）乃至（５）のいずれかに記載のウィッグ用フィルムと、を備え、少なくとも１対の前記ウィッグ用フィルムが、前記周縁部に配設されていることを特徴とする。
【手続補正６】
【補正対象書類名】明細書
【補正対象項目名】００２０
【補正方法】変更
【補正の内容】
【００２０】
上記（６）の構成によれば、上記（１）乃至（５）のいずれかに記載のウィッグ用フィルムを備えているので、ウィッグの使用時に使用者が抱く不快感および違和感を、従来に比べて大幅に軽減することができる。また、通気性に優れると共に軽量であるという効果も奏される。さらに、頭部の動きに応じて比較的伸縮し易い後頭部の頭皮に本ウィッグ用フィルムが接触することで、頭皮の温度が伝達され、本ウィッグ用フィルムの収縮が適度になされる。これにより、従来、使用者が抱いていた不快感および違和感の軽減作用がより機能する。また、特に、少なくとも１対のウィッグ用フィルムを、対称的に周縁部に配設することで、ウィッグキャップおよびウィッグの位置を安定させやすくなる。
【手続補正７】
【補正対象書類名】明細書
【補正対象項目名】００２１
【補正方法】変更
【補正の内容】
【００２１】
（７）  上記（６）のウィッグキャップにおいては、前記周縁部の内側に滑り止め部材が設けられていることが好ましい。
【手続補正８】
【補正対象書類名】明細書
【補正対象項目名】００２２
【補正方法】変更
【補正の内容】
【００２２】
上記（７）の構成によれば、ウィッグキャップのずれを防止することができる。